(57)【特許請求の範囲】
【請求項１】
柄とローラとを備え、使用時に前記柄を把持して押し引きすることにより前記ローラが皮膚の上を転動する皮膚刺激ローラであって、
前記柄は、把持部と、前記把持部の先端から二股に枝分かれて、互いに向かい合う先端部分のそれぞれに支持部が形成されてなるヘッド部とを有してなり、
前記ローラは、前記支持部によって両端が支持されてなる軸部と、前記軸部の周囲に設けられてなるブラシ部とを有してなり、
前記ブラシ部は、前記軸部が挿通される環体と該環体の全周に亘って該環体の径方向外方に向かって設けられてなる多数のブラシ毛とを有してなる円盤状の毛体が、軸方向に複数枚重ね合わされることによって形成されてなり、
重ね合わされた複数の前記毛体は、前記環体の内周面と前記軸部の外周面との間に、軸方向の全体に亘って同じ内径に形成された補強筒を介在させて前記軸部が挿通され、且つ、前記環体の内周面が前記補強筒の外周面に対して固定されており、
前記補強筒は、軸方向の両端が前記環体の内径よりも大きい外径の抜け止めに形成されてなり、
前記ブラシ部は、前記軸部と相対的に前記補強筒が回転することで前記軸部の軸心を回転軸として回転可能に形成されてなり、前記支持部と対向する面以外の面が露出されてなる
ことを特徴とする皮膚刺激ローラ。
【請求項２】
前記毛体は、その外周に隙間なく前記多数のブラシ毛の毛端が表れてなる
ことを特徴とする請求項１に記載の皮膚刺激ローラ。
【請求項３】
前記把持部は、中間部において山なりに曲がった棒体に形成されてなる
ことを特徴とする請求項１若しくは請求項２のいずれか一つに記載の皮膚刺激ローラ。
【請求項４】
前記山なりの高さ方向と直角となる方向に沿って前記軸部が配設されてなる
ことを特徴とする請求項３に記載の皮膚刺激ローラ。
【発明の詳細な説明】
【技術分野】
【０００１】
本発明は、皮膚の上でローラを転動させて皮膚を刺激する皮膚刺激ローラに関する。
【背景技術】
【０００２】
従来、特許文献１に記載されているように、柄の先端部に、弾力性のある刺状の接触子を多数有するローラ本体を回動自在に支持したことを特徴とする皮膚刺激ローラが知られている。この皮膚刺激ローラは、柄を握り持ってローラ本体を皮膚に押し当てて前後方向に移動させれば、ローラ本体が皮膚上を転動して接触子が皮膚に適度な刺激を与えるものである。
【先行技術文献】
【特許文献】
【０００３】
【特許文献１】特開平８−８４７５７号公報
【発明の概要】
【発明が解決しようとする課題】
【０００４】
しかし、従来技術は、例えば接触子同士が離間していることから皮膚を十分に刺激することができるものではなかった。
【０００５】
そこで、本発明は従来の皮膚刺激ローラよりも優れた皮膚刺激ローラを提供することを目的とする。
【課題を解決するための手段】
【０００６】
そこで、上記課題を解決する手段として本発明に係る皮膚刺激ローラは、柄とローラとを備え、使用時に前記柄を把持して押し引きすることにより前記ローラが皮膚の上を転動する皮膚刺激ローラであって、前記柄は、把持部と、前記把持部の先端から二股に枝分かれて、互いに向かい合う先端部分のそれぞれに支持部が形成されてなるヘッド部とを有してなり、前記ローラは、前記支持部によって両端が支持されてなる軸部と、前記軸部の周囲に設けられてなるブラシ部とを有してなり、前記ブラシ部は、前記軸部が挿通される環体と該環体の全周に亘って該環体の径方向外方に向かって設けられてなる多数のブラシ毛とを有してなる円盤状の毛体が、軸方向に複数枚重ね合わされることによって形成されてなり、重ね合わされた複数の前記毛体は、前記環体の内周面と前記軸部の外周面との間に、軸方向の全体に亘って同じ内径に形成された補強筒を介在させて前記軸部が挿通され、且つ、前記環体の内周面が前記補強筒の外周面に対して固定されており、前記補強筒は、軸方向の両端が前記環体の内径よりも大きい外径の抜け止めに形成されてなり、前記ブラシ部は、前記軸部と相対的に前記補強筒が回転することで前記軸部の軸心を回転軸として回転可能に形成されてなり、前記支持部と対向する面以外の面が露出されてなることを特徴とする。
【０００７】
前記軸部は、前記支持部に支持されていればよく、前記軸部が回転自在であるか否かを限定するものではない。
【０００８】
前記ブラシ部は、前記軸部の軸心を回転軸として回転自在に形成されてなる。この回転は、前記軸部の軸心を回転軸とするものであればよく、前記毛体が前記軸部と一体となって回転するものであるか、前記毛体が前記軸部と相対的に回転するものであるかを限定するものではない。すなわち、前記軸部は、前記支持部に回転自在に支持されることを要しない。
【０００９】
前記支持部と対向する面以外の面とは、重ね合わされた円盤状の毛体のそれぞれのブラシ毛の毛端によって形成された円柱形状の外周面をいう。
【００１０】
上述した皮膚刺激ローラによれば、前記軸部が挿通される環体と該環体の全周に亘って該環体の径方向外方に向かって設けられてなる多数のブラシ毛とを有してなる円盤状の毛体が複数枚重ね合わされた前記ブラシ部が、皮膚の上を転動しながら皮膚と当接することで、従来よりもきめ細かく皮膚を刺激することができる。
さらに、前記ブラシ部は、前記支持部と対向する面以外の面が露出されてなることで、様々な角度から前記ブラシ部を皮膚へと当接させることができ、皮膚へと加える力の調節が容易となる。
これらにより、従来の皮膚刺激ローラよりも優れた皮膚刺激ローラを提供することができる。
【００１１】
前記毛体は、その外周に隙間なく前記多数のブラシ毛の毛端が表れてなることとしてもよい。
【００１２】
前記毛体が、その外周に隙間なく前記多数のブラシ毛の毛端が表れてなることとした場合にあっては、前記ブラシ部が皮膚の上を転動しながら皮膚と当接する際に、前記毛体の外周に隙間なく前記多数のブラシ毛の毛端が表れてなることから、ローラの進行方向に隙間なく皮膚を刺激することができる。
【００１３】
前記把持部は、中間部において山なりに曲がった棒体に形成されてなることとしてもよい。
【００１４】
山なりに曲がるとは、略弧状若しくは凸状に曲がっていればよく、角を形成して屈曲しているか、角が形成されることなく湾曲しているか等を限定するものではない。
【００１５】
前記把持部が、中間部において山なりに曲がった棒体に形成されてなることとした場合にあっては、従来と比べて意匠的に優れており、顧客の購買意欲を増大させることができる。
【００１６】
前記山なりの高さ方向と直角となる方向に沿って前記軸部が配設されてなることとしてもよい。
【００１７】
前記山なりの高さ方向と直角となる方向に沿って前記軸部が配設されてなることとした場合にあっては、山なりに曲がってなる前記中間部が凹になっている方向の前記ブラシ部の面を皮膚に当接させる際に、手によって加えられる力がブラシ部と当接する皮膚に伝わり易い。
さらに、前記皮膚刺激ローラを使用して顎まわりの皮膚を刺激する際に、凹になっている前記中間部が顎まわりの骨格に沿うことから、皮膚刺激ローラの使用性が従来よりも優れたものとなる。
【発明の効果】
【００１８】
本発明に係る皮膚刺激ローラによれば、従来の皮膚刺激ローラよりも優れた皮膚刺激ローラを提供することができる。
【図面の簡単な説明】
【００１９】
【図１】実施形態に係る皮膚刺激ローラ１の正面図である。
【図２】実施形態に係る皮膚刺激ローラ１の平面図である。
【図３】実施形態に係る皮膚刺激ローラ１の左側面図である。
【図４】実施形態に係る皮膚刺激ローラ１の右側面図である。
【図５】実施形態に係る皮膚刺激ローラ１の斜視図である。
【図６】実施形態に係る皮膚刺激ローラ１の毛体６１の拡大斜視図である。
【図７】実施形態に係る皮膚刺激ローラ１のブラシ部６０の拡大断面図である。
【発明を実施するための形態】
【００２０】
以下、本発明に係る実施の形態を、図を参照しながら詳しく説明する。なお、本明細書及び図面において、実質的に同一の機能構成を有する構成要素については、同一の符号を付することにより重複説明を省略する。
【００２１】
まず初めに、実施形態における皮膚刺激ローラ１の構成を説明する。なお、実施形態において、皮膚刺激ローラ１の説明に際しては、皮膚刺激ローラ１の把持部２０が延在する方向を長さ方向として、長さ方向に対して先端・基端といった表現を用いることがあり、把持部２０の山なりの頂点２１が指し示す方向とその反対方向とを高さ方向とし、ローラ４０の軸部５０が延在する方向を幅方向とする。なお、ローラ４０について具体的に述べる際には、ローラ４０の延在方向がローラ４０の長さ方向となる。
【００２２】
図１から図５に示すように、皮膚刺激ローラ１は、柄１０とローラ４０とを備える。さらに、柄１０は、把持部２０とヘッド部３０とを有してなる。ローラ４０は、軸部５０とブラシ部６０とを有してなる。
【００２３】
柄１０は、把持部２０と、前記把持部２０の先端から二股に枝分かれて、互いに向かい合う先端部分のそれぞれに支持部３２が形成されてなるヘッド部３０とを有してなる。
【００２４】
把持部２０は、人間が手で握る部分である。把持部２０は、二股に枝分かれてなるヘッド部３０の基端（枝分かれ節部３３）から連続して延出してなる。把持部２０は、棒体に形成されてなる。把持部２０は、中間部において山なりに曲がってなる。すなわち、把持部２０は、中間部において上側凸に湾曲してなる。また、把持部２０は、弓状に湾曲してなる。特に本実施形態では、中間部において高さ方向上側に向かって湾曲してなる。換言すると、把持部２０は、中間部において、棒体の長さ方向と直角で且つローラ４０の軸部５０の軸方向と直角となる方向に山なりに曲がってなる。把持部２０は、ヘッド部３０の基端から長さ方向基端側の斜め上方に向かって延びて、その後山なりの頂点２１を経て、緩やかに長さ方向基端側の斜め下方へと延びる略への字状に形成されてなる。また、把持部２０は、先端部において板状に形成されてなる。把持部２０は、先端部から山なりの頂点２１に向かうにつれて幅方向の長さが短くなって、断面横長楕円状となるように形成されてなる。把持部２０は、山なりの頂点２１から長さ方向基端側に向かうにつれて拡径して形成されてなる。把持部２０は、基端部において基端に向うにつれて縮径する円錐形状に形成されてなる。
把持部２０は、長さ方向の長さが約１２０ｍｍに形成されてなる。また、把持部２０は、把持部２０の先端から基端に向かって約４５ｍｍのところで山なり部分の頂点２１となり、頂点２１から基端までが約７５ｍｍに形成されてなる。すなわち、把持部２０は、「先端から頂点２１の長さ：頂点２１から基端の長さ」がおおよそ「３：５」に形成されてなる。
【００２５】
ヘッド部３０は、支持部３２によってローラ４０の軸部５０を支持する。ヘッド部３０は、把持部２０の先端から二股に枝分かれて、互いに向かい合う先端部分のそれぞれに支持部３２が形成されてなる。ヘッド部３０は、把持部２０の先端と連続して形成されてなる。ヘッド部３０は、把持部２０の先端から、長さ方向先端側の斜め下方へと延出してなる。ヘッド部３０は、二つの枝３１を有してなる。それぞれの枝３１は、ヘッド部３０の基端からそれぞれ幅方向外方へと突出してなる。換言すると、それぞれの枝３１は、把持部２０の先端（若しくは枝分かれ節部３３ともいう。）から幅方向外方へと突出してなる。ヘッド部３０は、二股に枝分かれした枝３１の連続する内側面によって、長さ方向基端側に切り欠かれた半球状の切欠き３４を形成してなる。切欠き３４の最も深い位置に枝分かれ節部３３が形成されてなる。ヘッド部３０は、二股に枝分かれしたそれぞれの枝３１の先端部分に支持部３２が形成されてなる。
ヘッド部３０は、長さ方向の長さが約３５ｍｍに形成されてなる。また、ヘッド部３０の幅方向の長さは、把持部２０の幅方向の長さよりも長く形成されてなる。なお、ヘッド部３０の長さ方向の長さは、把持部２０の長さ方向の長さのおおよそ１／３に形成されてなる。
また、ヘッド部３０と把持部２０とは一体として略Ｙ字状に形成されてなる。
【００２６】
支持部３２は、ローラ４０の軸部５０の両端を支持する。支持部３２は、ヘッド部３０の互いに向かい合う先端部分のそれぞれに形成されてなる。支持部３２は、ヘッド部３０を構成する二つの枝３１のそれぞれに形成されてなる。特に、支持部３２は、二つの枝３１の先端部分において互いに対向するように形成されてなる。支持部３２は、ローラ４０の軸部５０の端部が挿嵌される挿嵌穴に形成されてなる（図示せず）。該挿嵌穴は、二つのそれぞれの枝３１に、それぞれの該挿嵌穴が対向するように設けられてなる。該挿嵌穴は、円形に開いてなる。また、それぞれの該挿嵌穴は、一方の挿嵌穴の中心軸線を仮想的に延長した場合、他方の挿嵌穴の軸線と一致するように配設されてなる。また、二つの支持部３２は、互いに約５０ｍｍ離間して配設されてなる。
【００２７】
ローラ４０は、支持部３２によって両端が支持されてなる軸部５０と、軸部５０の周囲に設けられてなるブラシ部６０とを有してなる。
【００２８】
軸部５０は、支持部３２によって両端が支持されてなる。また、軸部５０は、ブラシ部６０を構成する毛体６１の環体６２に挿通されてなる。
軸部５０は、円柱状に形成されてなる。また、軸部５０の直径は短く形成されてなる。すなわち、軸部５０は細い円柱状に形成されてなる。軸部５０は、直径約１ｍｍに形成されてなる。
軸部５０は、軸方向の長さ（すなわち、皮膚刺激ローラ１における幅方向の長さ）が、支持部３２同士の離間する距離よりも僅かに長く形成されてなる。軸部５０の軸方向の長さは、約５３ｍｍに形成されてなる。
軸部５０は、ヘッド部３０の二つの枝３１の先端部分に橋設されてなる。また、軸部５０は、山なりの高さ方向と直角となる方向に沿って配設されてなる。さらに、軸部５０は、皮膚刺激ローラ１の長さ方向と直角となる方向に沿って配設されてなる。軸部５０は、ヘッド部３０の二つの枝３１に対して幅方向外方に力を加えて撓ませて、支持部３２に設けられた挿嵌穴に両端を挿嵌することによって設けられてなる。なお、本実施形態においては、軸部５０は固定的に支持部３２によって挟持されてなる。特に、軸部５０は、回転しないように固定されてなる。よって、軸部５０は周方向に回転しない。
【００２９】
ブラシ部６０は、軸部５０の周囲に設けられてなる。ブラシ部６０は、軸部５０の外周面を内包するように設けられてなる。また、ブラシ部６０は、軸部５０が挿通される環体６２と環体６２の全周に亘って環体６２の径方向外方に向かって設けられてなる多数のブラシ毛６３とを有してなる円盤状の毛体６１が、軸方向に複数枚重ね合わされることによって形成されてなる。ブラシ部６０は、複数枚の円盤状の毛体６１が軸方向に重ね合されてなる。より具体的には、毛体６１の環体６２の中心を軸として、各環体６２の軸が軸方向に一致するように、複数枚の円盤状の毛体６１が重ね合されてなる。ブラシ部６０は、重ね合された複数の環体６２の内周によって形成される内周面の内側に、円筒状に形成されてなる補強筒６４を有してなる。
ブラシ部６０は、円筒状に形成されてなる。ブラシ部６０の外周面は、複数の円盤状の毛体６１の毛端によって形成されてなる。ブラシ部６０の内周面は、補強筒６４の内周面によって形成されてなる。
ブラシ部６０は、軸方向の長さが軸部５０の軸方向の長さよりも短く形成されてなる。ブラシ部６０は、軸方向の長さが支持部３２同士の離間する距離よりも僅かに短く形成されてなる。ブラシ部６０は、軸方向の長さが約４８ｍｍに形成されてなる。また、ブラシ部６０は、直径方向の長さが約１８ｍｍに形成されてなる。ブラシ部６０は、内周の直径が軸部５０の外周の直径よりも大きく形成されてなる。なお、本実施形態においては、ブラシ部６０は、補強筒６４を介在させた状態で、環体６２に軸部５０が挿通されてなる。
【００３０】
図６及び図７に示すように、毛体６１は、円盤状に形成されてなる。毛体６１は、軸部５０が挿通される環体６２と環体６２の全周に亘って環体６２の径方向外方に向かって設けられてなる多数のブラシ毛６３とを有してなる。
毛体６１の円盤形状は、多数のブラシ毛６３の毛端によって形成されてなる。毛体６１は、多数のブラシ毛６３を有してなる。より具体的には、毛体６１は、その外周に隙間なくブラシ毛６３の毛端が表れる程度の数のブラシ毛６３を有してなる。毛体６１は、約６５０本のブラシ毛６３を有してなる。また、それぞれのブラシ毛６３は略同じ長さに形成されてなる。毛体６１は、直径が約１８ｍｍに形成されてなる。
【００３１】
ブラシ毛６３は、環体６２の軸心から外方に向けて放射状に配設されてなる。ブラシ毛６３は、細いナイロンによって形成されてなる。ブラシ毛６３は、直径が約０．１ｍｍの円柱状に形成されてなる。換言すると、ブラシ毛６３は、太さが約０．１ｍｍの線状体に形成されてなる。ブラシ毛６３は長さが約６ｍｍに形成されてなる。
【００３２】
環体６２は、中心から放射状に広げられた多数のブラシ毛６３の基端同士が、円形を形成するように環状に溶着されることで形成されてなる。例えば、加工部が環状に形成された溶着機を、放射状に広げられた多数のブラシ毛６３の中心に対して押付けることでブラシ毛６３の基端同士を溶着して環状の溶着部（環体６２）を形成することができる。この場合には、溶着により形成された環状の溶着部（環体６２）の内側を円形に切断することで、環体６２の孔を形成する。また、環体６２の孔の内径は、軸部５０の直径よりも大きく形成されてなる。
【００３３】
図７に示すように、補強筒６４は、軸部５０の外周と環体６２の内周との間に介在させられてなる。補強筒６４は、環体６２の内周と固定されてなる。補強筒６４は、円筒状に形成されてなる。さらに、補強筒６４は、長さ方向の全体に亘って同じ内径の内周面が形成されてなる。補強筒６４は、一端部から他端部まで同じ外径の外周面が形成されてなり、一端と他端とが外径の大きい抜け止めに形成されてなる。また、抜け止め部分は、毛体６１の環体６２の内径よりも大きい外径に形成されてなる。また、補強筒６４の内径は、軸部５０の外径よりも大きく形成されてなる。補強筒６４の軸方向の長さは、支持部３２同士の離間する距離よりも僅かに短く形成されてなる。
【００３４】
ブラシ部６０は、軸部５０の軸心を回転軸として回転自在に形成されてなり、支持部３２と対向する面以外の面が露出されてなる。
ブラシ部６０は、軸部５０が挿通される環体６２内部の補強筒６４の内径が、軸部５０の外径よりも大きく形成されてなることで、回転自在に形成されてなる。
また、ブラシ部６０は、支持部３２と対向する面以外の面である円柱形状の円周面が露出されてなる。具体的には、円柱形状の円周面は、皮膚を刺激可能に露出されてなる。
【００３５】
また、ヘッド部３０の枝分かれ節部３３と枝分かれ節部３３と対向するブラシ部６０の面との間は十分に離間してなる。特に、ヘッド部３０の枝分かれ節部３３と枝分かれ節部３３と対向するブラシ部６０の面との間は、皮膚を刺激可能に離間してなる。また、例えば、ヘッド部３０の枝分かれ節部３３とブラシ部６０の枝分かれ節部３３と対向する面との間は、２０ｍｍ程度離間していることが好ましい。この場合ローラ４０と枝分かれ節部３３との間で身体の先端部を挟みながら皮膚を刺激することができる。
【００３６】
以下では、上述した構成を備える実施形態における皮膚刺激ローラ１の作用及び効果について説明する。
【００３７】
皮膚刺激ローラ１は、軸部５０が挿通される環体６２と環体６２の全周に亘って環体６２の径方向外方に向かって設けられてなる多数のブラシ毛６３とを有してなる円盤状の毛体６１が、複数枚重ね合されたブラシ部６０を有する。また、ブラシ部６０は、軸部５０の軸心を回転軸として回転自在に形成されてなる。
このため、把持部２０を握って皮膚刺激ローラ１を前後に移動させることで、毛体６１を備えるブラシ部６０が皮膚の上で転動する。
これにより、毛体６１に設けられた多数のブラシ毛６３が転動しながら皮膚と当接することで、従来よりもきめ細かく皮膚を刺激し、マッサージ効果を得ることができる。
【００３８】
さらに、毛体６１は、その外周に隙間なくブラシ毛６３の毛端が表れる程度の数のブラシ毛６３を有してなる。また、ブラシ毛６３は、細く形成されてなる。
このため、細いブラシ毛６３が密集してなる毛体６１を備えるブラシ部６０が、皮膚の上で転動する。
これにより、さらにきめ細かく皮膚の神経や細胞を刺激し、優れたマッサージ効果を得ることができる。
【００３９】
皮膚刺激ローラ１は、円盤状の毛体６１が軸方向に複数枚重ね合されることによって形成されてなる。
このため、皮膚刺激ローラ１の幅方向に複数枚の毛体６１が配設されることとなる。
これにより、皮膚刺激ローラ１は、皮膚の上で転動する際に、複数の毛体６１が同時に皮膚と当接することとなり、複数の毛体６１で同時に皮膚を刺激することができる。
【００４０】
さらに、毛体６１は、毛体６１の環体６２の中心を軸として、各環体６２の軸が軸方向に一致するように、複数枚の円盤状の毛体６１が重ね合されてなる。また、毛体６１に設けられたそれぞれのブラシ毛６３は略同じ長さに形成されてなる。
このため、ブラシ部６０は、軸心に軸部５０が挿通された円柱体となる。
これにより、ブラシ部６０が皮膚の上を転動する際に、滑らかに皮膚の上を転動して、皮膚を刺激することができる。
【００４１】
皮膚刺激ローラ１は、ブラシ部６０の内周面が補強筒６４の内周面によって形成されてなる。さらに、補強筒６４は、長さ方向の全体に亘って同じ内径の内周面が形成された円筒状に形成されてなる。またさらに、軸部５０は、円柱状に形成されてなる。
このため、軸部５０の外周面とブラシ部６０の内周面との間には抵抗が小さい。
これにより、皮膚刺激ローラ１は滑らかな転動が可能となる。
【００４２】
皮膚刺激ローラ１の補強筒６４は、一端部から他端部まで同じ外径の外周面が形成されてなり、一端と他端とが外径の大きい抜け止めに形成されてなる。また、抜け止め部分は、毛体６１の環体６２の内径よりも大きい外径に形成されてなる。
このため、抜け止めによって、毛体６１が軸方向に移動することが抑制される。
これにより、毛体６１が補強筒６４から抜けてしまうことが抑制される。
【００４３】
皮膚刺激ローラ１のブラシ部６０は、支持部３２と対向する面以外の面が露出されてなる。
このため、様々な角度からブラシ部６０を皮膚へと当接させることができる。
これにより、皮膚刺激ローラ１は、柄１０を握る際の腕の角度を容易に調節することができ、皮膚へと加える力の調節が容易となる。
【００４４】
さらに、皮膚刺激ローラ１のブラシ部６０は、枝分かれ節部３３と対向する面が、枝分かれ節部３３と十分に離間してなる。
このため、ローラ４０と枝分かれ節部３３との間に形成される隙間に指や耳回り等の身体の先端部を挿入することができる。
これにより、ローラ４０と枝分かれ節部３３との間で身体の先端部を挟みながら皮膚を刺激することができる。また、この場合にはブラシ部６０の外周面の３６０度全てで皮膚の刺激が可能となる。
【００４５】
皮膚刺激ローラ１は、ブラシ毛６３が長さ約６ｍｍ、太さ約０．１ｍｍに形成されてなる。さらに、毛体６１は、毛体６１の外周面に隙間なく多数のブラシ毛６３の毛端が表れてなるように、ブラシ毛６３が密集して設けられてなる。
このため、ブラシ毛６３の太さが細いにも関わらず、ブラシ毛６３の長さが短く且つ密集して設けられてなることによって、皮膚に当接した際にブラシ毛６３が倒れにくい。
これにより、ブラシ毛６３の毛端が略直角に皮膚に対して当接することとなり、優れたマッサージ効果を得ることができる。
【００４６】
皮膚刺激ローラ１は、把持部２０が中間部において山なりに曲がった棒体に形成されてなる。
これにより、把持部が中間部において山なりに曲がった棒体に形成されていない皮膚刺激ローラと比べて、意匠的に優れており、顧客の購買意欲を増大させることができる。
また、使用者は、山なりに曲がった形状によって、山なりの頂点２１よりも基端側の把持部２０を握ることで、山なり部に手が引っ掛かって滑りが抑制されて、皮膚刺激ローラ１を握り易くなる。
【００４７】
皮膚刺激ローラ１は、山なりの高さ方向と直角となる方向に沿って軸部５０が配設されてなる。
これにより、山なりに曲がってなる中間部が凹になっている方向のブラシ部６０の面を皮膚に当接させる際に、手によって加えられる力がブラシ部６０と当接する皮膚に伝わり易い。
その一方で、曲がってなる前記中間部が凸になっている方向の前記ブラシ部６０を皮膚に当接させる際には、手によって加えられる力がブラシ部６０と当接する皮膚に伝わりにくい。
これにより、皮膚刺激ローラ１の力の調節が、ブラシ部６０を当接させる面を変更するだけでできることとなる。
またさらに、皮膚刺激ローラ１を使用して顎まわりの皮膚を刺激する際に、凹になっている中間部が顎まわりの骨格に沿うことから、皮膚刺激ローラ１の使用性がよい。
【００４８】
皮膚刺激ローラ１は、軸部５０が、皮膚刺激ローラ１の長さ方向と直角となる方向に沿って配設されてなる。
これにより、皮膚刺激ローラ１の使用者は、軸の長さ方向に沿って前後に皮膚刺激ローラ１を動かすことで、容易に皮膚を刺激することができる。
【００４９】
また、皮膚刺激ローラ１は、ヘッド部３０の基端と把持部２０の先端とが連続して形成されてなる。
このため、ヘッド部３０と把持部２０との間には、部品同士の繋ぎ目がない。
これによって、皮膚刺激ローラ１の使用者は、繋ぎ目を視認することがないため、優れた意匠的美感を感得することができる。また、繋ぎ目がないことから、ヘッド部３０と把持部２０との境界における破損を抑制することができる。
【００５０】
皮膚刺激ローラ１は、軸部５０が、ヘッド部３０の二つの枝３１に対して幅方向外方に力を加えて撓ませて、支持部３２に設けられた挿嵌穴に両端を挿嵌することによって設けられてなる。
このため、軸部５０を装着した後に、再度二つの枝３１に対して幅方向外方に力を加えて二つの枝３１を撓ませることで、装着した軸部５０を取り外すことができる。
これにより、皮膚刺激ローラ１は、ブラシ部６０が傷んだ際に、ブラシ部６０を新しいブラシ部６０と交換することができる。
【００５１】
皮膚刺激ローラ１は、浴室等で使用することができる。
このため、ブラシ毛６３に水を含ませた状態で皮膚を刺激することができる。
これによって、皮膚刺激ローラ１は、ブラシ毛６３が乾燥した状態での皮膚の刺激のみならず、水を含ませた状態でも皮膚を刺激することができる。
また、水に加えて石鹸等をブラシ毛６３に含ませた際には、皮膚刺激ローラ１の細い毛が、毛穴やシワの隙間に入り込み、身体を綺麗に洗うことができる。
【００５２】
以下では、本実施形態における皮膚刺激ローラ１の適宜変更可能な構成の一例を示す。
なお、本発明の技術的範囲は、特許請求の範囲の記載によって定められるべきであり、以下で変形例として述べていないことを理由としては、所定の構成が本発明の技術的範囲に属しないと判断することはできない。
【００５３】
実施形態においては、把持部２０がヘッド部３０の基端から連続して延出し、ヘッド部３０が把持部２０の先端と連続して形成されてなることとした。しかしながら、把持部２０及びヘッド部３０はその境界が連続して延出若しくは形成される構成に限られるものではない。例えば、把持部２０とヘッド部３０とは、それぞれが別個の部品によって形成されてなり、それを互いに接着等の手段によって結合されるものであってもよい。
【００５４】
実施形態においては、支持部３２を挿嵌穴によって構成することとした。しかしながら、支持部３２は、軸部５０を支持するという機能を発揮するものであれば、挿嵌穴に限定されるものではない。例えば、一方の柄１０に軸部５０を挿通可能な大きさの貫通孔を穿設し、他方の柄１０に挿通された軸部５０の先端部を受ける受け穴が形成されてなる構成としてもよい。
この場合であっても、軸部５０を前記貫通孔から引き抜くことで、傷んだブラシ部６０の交換が可能となる。
【００５５】
実施形態においては、補強筒６４を備え、ブラシ部６０の内周面は補強筒６４の内周面によって形成されてなることとした。しかしながら、補強筒６４は必須の構成ではなく、適宜省略することができる。例えば、ブラシ部６０の内周面は、軸方向に重ね合された複数の環体６２の内周が積層されることで形成されることとしてもよい。
この場合であっても、複数の環体６２によって形成されるブラシ部６０の孔に軸部５０を挿通することで、ブラシ部６０の回転が可能となる。
【００５６】
実施形態においては、軸部５０は、支持部３２によって回転しないように固定されてなることとした。しかしながら、軸部５０はこのような構成に限定されるものではない。例えば、軸部５０が支持部３２によって回転可能に支持されてなることとしてもよい。
この場合であっても、軸部５０とブラシ部６０とが一体となって、若しくは、軸部５０とブラシ部６０とが相対的に回転しながら、ブラシ部６０は皮膚の上で転動することができる。
【００５７】
実施形態においては、環体６２は、中心から放射状に広げられた多数のブラシ毛６３の基端同士が、円形を形成するように環状に溶着されることで形成されてなることとした。しかしながら、環体６２はこのような環状の溶着部に限定されるものではない。例えば、環体６２は、樹脂若しくは木材等の素材によって成形されてなる円筒状のリングであってもよい。この場合には、該リングに多数のブラシ毛６３を植設、若しくは一体成型によって設けることができる。
【００５８】
実施形態においては、ブラシ毛６３は、ナイロンによって形成されてなることとした。しかしながら、ブラシ毛６３の素材はナイロンに限定されるものではない。例えば、ナイロン以外のポリエステル等の合成繊維、獣毛等によって形成することもできる。
【００５９】
実施形態においては、皮膚刺激ローラ１は、ブラシ毛６３が長さ約６ｍｍ、太さ約０．１ｍｍに形成されてなることとした。しかしながら、ブラシ毛６３の長さ及び太さはこれに限定されるものではない。例えば、ブラシ毛６３の太さを太くする場合には、ブラシ毛６３の長さを長くすることができ、ブラシ毛６３の太さを細くする場合には、ブラシ毛６３の長さを短くすることが好ましい。
この場合には、適宜ブラシ毛６３の長さ及び太さ、これに加えて適宜ブラシ毛６３の密集度を調節することで、容易に皮膚と当接した際にブラシ毛６３が倒れにくいブラシ部６０を構成することができる。
また、例えば、ブラシ毛６３の長さは３ｍｍから１０ｍｍ、太さは０．０５ｍｍから０．３ｍｍ程度が好ましい。
【符号の説明】
【００６０】
１    皮膚刺激ローラ
１０  柄
２０  把持部
２１  頂点
３０  ヘッド部
３１  枝
３２  支持部
３３  枝分かれ節部
３４  切欠き
４０  ローラ
５０  軸部
６０  ブラシ部
６１  毛体
６２  環体
６３  ブラシ毛
６４  補強筒
【図１】
0006989164.tif 000002
【図２】
0006989164.tif 000003
【図３】
0006989164.tif 000004
【図４】
0006989164.tif 000005
【図５】
0006989164.tif 000006
【図６】
0006989164.tif 000007
【図７】
0006989164.tif 000008